(57)【要約】      （修正有）【課題】防護区画に対する火災検出とノズル旋回動作を妨げることなく、バレーボールやフットサル等の室内球技によるボールに対し確実に防護可能とする。【解決手段】放水銃装置１０は、防護区画の壁面に設置され、装置本体１２の前パネル１４側に、垂直及び水平方向に走査して防護区画の火災を検出する火災検出部１６と、火災検出部１６で火災を検知した場合に、検知した火災の方向に向くように放水銃を旋回駆動して放水する放水銃部１８を備える。防護ネット３０は、放水銃装置１０の火災検出部１６に設けた検出窓の走査範囲及び放水銃部１８に設けた放水銃の旋回範囲を除く、装置本体１２の前面の上下左右及び奥行方向を覆って縦横格子状に金属バーを配置した構造とする。【選択図】図１
2015208379.tif 000002
【特許請求の範囲】
【請求項１】
防護区画の壁面に設置され、装置本体の前面側に、
防護区画に対する検出素子からの検出光軸を、旋回走査部の縦方向に形成した検出窓の範囲で垂直方向に走査すると共に前記旋回走査部を水平方向に旋回走査して前記防護区画の火災を検出する火災検出部と、
前記火災検出部で火災を検知した場合に、検知した火災の方向に向くように放水銃を旋回駆動して放水する放水銃部と、
を設けた放水銃装置に於いて、
前記火災検出部に設けた前記検出窓の垂直及び水平の走査範囲及び前記放水銃部に設けた前記放水銃の水平旋回範囲を除く、前記装置本体の上下左右及び奥行方向を覆って縦横格子状に金属バーを配置した防護ネットを設けたこと特徴とする放水銃装置。
【請求項２】
請求項１記載の放水銃装置に於いて、前記防護ネットに設けた前記金属バーの縦方向及び横方向の間隔を、前記防護区画の球技で使用するボールの直径より小さい所定間隔としたことを特徴とする放水銃装置。
【請求項３】
請求項１記載の放水銃装置に於いて、前記防護ネットは、前記装置本体前面に配置した前記火災検出部及び前記放水銃部との間隔を概ね一定とするように、前記装置本体前面の上下左右及び奥行方向を覆って縦横格子状に金属バーを配置したことを特徴とする放水銃装置。
【請求項４】
請求項１記載の放水銃装置に於いて、前記防護ネットは、前記装置本体前面に配置した前記火災検出部及び前記放水銃部の前方へ最大飛び出し位置との間隔を概ね一定とする箱型形状に、前記装置本体前面の上下左右及び奥行方向を覆って縦横格子状に金属バーを配置したことを特徴とする放水銃装置。
【発明の詳細な説明】
【技術分野】
【０００１】
本発明は、放水銃の放水口の前にデフレクターを配置して近距離射程の放水を行う放水銃装置に関する。
【背景技術】
【０００２】
従来、体育館などの比較的広く天井の高い空間を防護区画とし、消火用水の放水により消火活動をおこなう近距離射程の放水銃装置として例えば図１２に示すものが知られている。
【０００３】
図１２に示すように、放水銃装置１００は、体育館などの床面を見渡すことのできる例えば４メートル程度の高さの壁面に装置本体１０２を埋込み設置しており、装置本体１０２の壁面に露出した前パネル１０３の上部に火災検出部１０４を設け、その下に放水銃部１０６を設けている。
【０００４】
火災検出部１０２は、防護区画に対する赤外線検出素子からの検出光軸を、検出部本体の縦方向に形成した検出窓の範囲で垂直方向に光学的に走査すると共に火災検出部１０２を水平方向に回動走査して防護区画の火災を監視している。
【０００５】
また放水銃部１０６は定常状態では旋回カバー１０８の裏側にデフレクターを備えた放水銃を収納している。火災検出部１０２により防護区画の火災による炎からの赤外線を検知して火災を断定すると、火災の方向を特定し、放水銃部１０６における旋回カバー１０８の裏側に収納している放水銃を前方に旋回して火災の方向に向け、自動モードの場合は所定の自動放水条件が確定した場合に放水を開始し、また手動モードの場合は、放水起動スイッチを操作した場合に放水を開始するようにしている。
【先行技術文献】
【特許文献】
【０００６】
【特許文献１】特開２００４−２５４７２５号公報
【発明の概要】
【発明が解決しようとする課題】
【０００７】
しかしながら、このような放水銃装置を体育館などに設置した場合、バレーボールやフットサルといった球技の練習や試合が行われた際に、バレーボールのサーブやフットサルのゴールキック等により、壁面に設置している放水銃装置にボール１１０が当たる場合があり、特に、火災検出部１０４や放水銃部１０６にサーブやゴールキック等によるボールが強く当った場合、火災検出部１０４や放水銃部１０６を損傷し、正常に動作しなくなる恐れがある。
【０００８】
また、悪戯により、壁面に設置している放水銃装置１００を狙ってサーブを打ったり、ボールをキックする場合もあり、ボールが強く当ると火災検出部１０４や放水銃部１０６を損傷し、正常に動作しなくなる恐れがある。
【０００９】
このような問題を解決するためには、放水銃装置１００の前に、住宅で使用している窓格子のような防護柵を配置することが考えられる。
【００１０】
しかしながら、窓格子のような防護柵を設置した場合には、火災検出部による防護区画の走査範囲が部分的に防護柵により遮られる問題があり、また、火災を検知した場合に放水銃を内部から前方に旋回して火災方向に向けることから、放水銃の旋回を妨げないように、放水銃装置から十分に離して防護柵を前方に配置する必要があり、防護柵の取付けが大変で全体として大型化する問題がある。
【００１１】
本発明は、防護区画に対する火災検出とノズル旋回動作を妨げることなく、バレーボールやフットサル等の室内球技によるボールに対し確実に防護可能とする放水銃装置を提供することを目的とする。
【課題を解決するための手段】
【００１２】
（放水銃装置）
本発明は、
防護区画の壁面に設置され、装置本体の前面に、
防護区画に対する検出素子からの検出光軸を、旋回走査部の縦方向に形成した検出窓の範囲で垂直方向に走査すると共に旋回走査部を水平方向に回動走査して防護区画の火災を検出する火災検出部と、
火災検出部で火災を検知した場合に、検知した火災の方向に向くように放水銃を旋回駆動して放水する放水銃部と、
を設けた放水銃装置に於いて、
火災検出部に設けた検出窓の垂直及び水平の走査範囲及び放水銃部に設けた放水銃の水平旋回範囲を除く、装置本体前面の上下左右及び奥行方向を覆って縦横格子状に金属バーを配置した防護ネットを設けたこと特徴とする。
【００１３】
（格子間隔とボール直径の関係）
防護ネットは金属バーの縦方向及び横方向の間隔を、防護区画の球技で使用するボールの直径より小さい所定間隔とする。
【００１４】
（装置前面形状に合せた防護ネット）
防護ネットは、装置本体前面に配置した火災検出部及び放水銃部との間隔を概ね一定とするように、装置本体前面の上下左右及び奥行方向を覆って縦横格子状に金属バーを配置する。
【発明の効果】
【００１５】
（基本的な効果）
本発明の放水銃装置によれば、火災検出部に設けた検出窓の垂直及び水平の走査範囲及び放水銃部に設けた放水銃の水平旋回範囲を除く、装置本体前面の上下左右及び奥行方向を覆って縦横格子状に金属バーを配置した防護ネットを設けるようにしたため、体育館などのバレーボールやフットサル等の球技を行う場所に設置した場合、バレーボールのサーブやフットサルによるゴールキック等によるボールの直撃を受けても、装置本体前面を覆う防護ネットによりボールを跳ね返し、ボールが装置本体の前面に露出配置している火災検出部や放水銃部に当ることがなく、ボールの直撃による火災検出部及び放水銃部の損傷を未然に防止し、火災が発生した場合に確実に動作して消火可能とする。
【００１６】
また、防護ネットの金属バーは、火災検出部に設けた検出窓の垂直及び水平の走査範囲及び放水銃部に設けた放水銃の水平旋回範囲を除くように、装置本体前面の上下左右及び奥行方向を覆って縦横格子状に配置しているため、防護ネットを設けても火災検出部の検出走査範囲及び放水銃部の水平旋回範囲を遮ったり制限したりすることがなく、火災検出性能及び放水性能を損なうことがない。
【００１７】
（格子間隔とボール直径の関係による効果）
また、防護ネットは金属バーの縦方向及び横方向の間隔を、防護区画の球技で使用するボールの直径より小さい所定間隔としたため、防護ネットに当ったボールがネットをすり抜けて放水銃装置を直撃するようなことはなく、ボールの直撃による火災検出部及び放水銃部の損傷を確実に防止可能とする。
【００１８】
（装置前面形状に合せた防護ネットによる効果）
また、防護ネットは、装置本体前面に配置した火災検出部及び放水銃部との間隔を概ね一定とするように、装置本体前面の上下左右及び奥行方向を覆って縦横格子状に金属バーを配置するようにしたため、防護ネットの配置スペースを必要最小限に抑えることを可能とし、防護ネットの軽量化すると共に見栄えを損なうこともない。
【図面の簡単な説明】
【００１９】
【図１】防護ネットを設けた放水銃装置の実施形態を示した斜視図
【図２】防護ネットと放水銃装置を分離して示した組立分解図
【図３】図１の防護ネットを設けた放水銃装置を示した正面図
【図４】図１の防護ネットを設けた放水銃装置を示した側面図
【図５】放水銃を防護区画に向けて旋回した防護ネットを設けた放水銃装置の側面図
【図６】防護ネットを取り出して示した正面図
【図７】防護ネットを取り出して示した側面図
【図８】防護ネットを取り出して示した平面図
【図９】防護ネットを取り出して示した底面図
【図１０】防護ネットを設けた放水銃装置の他の実施形態を示した斜視図
【図１１】図１０の防護ネットと放水銃装置を分離して示した組立分解図
【図１２】体育館等に設置した従来の放水銃装置を示した説明図
【発明を実施するための形態】
【００２０】
［放水銃装置の概要］
図１は防護ネットを設けた放水銃装置の実施形態を示した斜視図、図２は防護ネットと放水銃装置を分離して示した組立分解図、図３は図１の防護ネットを設けた放水銃装置を示した正面図、図４は図１の防護ネットを設けた放水銃装置を示した側面図及び図５は放水銃を防護区画に向けて旋回した防護ネットを設けた放水銃装置の側面図である。
【００２１】
図２に示すように、放水銃装置１０は、箱型の装置本体１２の前部に前パネル１４を装着しており、前パネル１４の上部に火災検出部１６を設け、その下に放水銃部１８を設けている。
【００２２】
火災検出部１６は、図３及び図４に示すように、半円筒状の張出部の下に、円錐状の旋回走査部２２を水平周りに回動走査自在に配置し、旋回走査部２２には縦方向に検出窓２４を設けている。火災検出部１６の内部には赤外線検出素子と赤外線検出素子の防護区画に対する検出光軸を垂直方向に走査する回転ミラーを備えた走査光学系を内蔵している。
【００２３】
このため火災検出部１６は、防護区画に対する赤外線検出素子からの検出光軸を、旋回走査部２２の縦方向に形成した検出窓２４の範囲、例えば水平となる０°から下向きとなる９０°の範囲で光学的に垂直方向に繰り返し走査すると共に、旋回走査部２２を水平方向に１８０°の範囲で往復する回動走査を繰り返して防護区画の火災を検出する。
【００２４】
放水銃部１８は通常状態で旋回カバー２０の裏側に放水銃を収納しており、火災検出部１６で火災を検知した場合には、図５に示すように、モータ駆動により放水銃部１６を旋回して放水銃２６を取出し、火災検出部１６で検出した火災の方向に放水銃２６を向けて放水する。放水銃２６は、内部に斜め上向きに放水ノズルを旋回自在に配置すると共に、ノズル口に相対した前方にデフレクターを配置し、例えば１６〜１８メートルの放水距離で所定の散水パターンを得るようにしている。
【００２５】
［防護ネットの構成］
図６は防護ネットを取り出して示した正面図、図７は防護ネットを取り出して示した側面図、図８は防護ネットを取り出して示した平面図及び図９は防護ネットを取り出して示した底面図である。
【００２６】
図１乃至図９に示すように、防護ネット３０は、放水銃装置１０の前パネル１４の外側の壁面に固定する矩形の取付枠３２をベースとして、所定太さの金属バーを溶接して放水銃装置１０の前パネル１４の前方となる上下左右及び奥行方向を覆って縦横格子状に配置した防護ネット構造としている。
【００２７】
この防護ネット３０は、上部の火災検出部１６の外側を覆って配置した火災検知部用防護ネット３４と下部の放水銃部１８の外側を覆って配置した放水銃部用防ネット３６で構成しており、その間に図３及び図６に示すように、火災検出部用開口部３４と放水銃用開口部４０を形成している。
【００２８】
火災検出部用防護ネット３４は、基本的には、複数の金属バーの溶接により上下左右及び奥行方向を覆って縦横格子状に配置しているが、図８及び図９に示すように、旋回走査部２２の外側を覆って水平方向に半円形の火災検出部用リングバー４２を配置している。また、放水銃部１６の上部外側を覆って水平方向に放水銃部用リングバー４４を配置している。
【００２９】
また、放水銃部用防護ネット３６は、複数の金属バーの溶接により上下左右及び奥行方向を覆って縦横格子状に配置しているが、放水銃部１６の外側に張出防護ネット４６を矩形に張り出したネット構造を設けている。
【００３０】
このような防護ネット３０のネット構造にあっては、前パネル１４の前面から前方に飛び出して配置した火災検出部１６及び放水銃部１８との間隔を概ね一定とするように、放水銃装置１０の前面の上下左右及び奥行方向を覆って縦横格子状に金属バーを配置している。
【００３１】
また、防護ネット３０は、金属バーの縦方向及び横方向の間隔を、防護区画の球技で使用するボールの直径より小さい所定の間隔とする。特に、図４に示すように、放水銃部１８に対応した放水銃用開口部４０の上下に配置した金属バーの間隔Ｌは、フットサルに使用するボールの直径が約１９センチメートルであることから、この間隔Ｌが１９センチメートル以下となるように、金属バーの間隔を決めて溶接している。なお、バレーボールはフットサルのボールより大きいことから、問題はない。
【００３２】
［放水銃装置に設けた防護ネットの機能］
図１乃至図５に示すように、放水銃装置１０の火災検出部１６に設けた検出窓２４の垂直及び水平の走査範囲及び放水銃部１８に設けた放水銃２６の水平旋回範囲を除く前パネル１４の上下左右及び奥行方向を覆って縦横格子状に金属バーを配置した防護ネット３０を設けるようにしたため、体育館などのバレーボールやフットサル等の球技を行う場所に設置した場合、例えばフットサルによるゴールキック等によるボールの直撃を受けても、ボールは防護ネット３０に当って跳ね返され、放水銃装置１０の前面に露出配置している火災検出部１６や放水銃部１８に当ることがなく、ボールの直撃による火災検出部１６及び放水銃部１８の損傷を未然に防磁し、火災が発生した場合に確実に動作して消火可能とする。
【００３３】
また、防護ネット３０の金属バーは、火災検出部１６に設けた検出窓２２の垂直及び水平の走査範囲を除く火災検出用開口部３８を形成すると共に、放水銃部に設けた放水銃の水平旋回範囲を除く放水銃部用開口部４０を形成し、前パネル１４の前方の上下左右及び奥行方向を覆って縦横格子状に配置しているため、防護ネット３０を設けても火災検出部１６の検出走査範囲及び放水銃部１８の放水走査範囲を遮ったり制限したりすることがなく、火災検出性能及び放水性能を損なうことがない。
【００３４】
また、防護ネット３０は金属バーの縦方向及び横方向の間隔を、防護区画の球技で使用する例えばフットサルのボールの直径より小さい所定間隔としたため、防護ネット３０に当ったボールがネットをすり抜けて放水銃装置１０を直撃するようなことはなく、ボールの直撃による火災検出部１６及び放水銃部１８の損傷を確実に防止可能とする。
【００３５】
［装置前面の最大飛び出し位置に合せた防護ネット］
図１０は防護ネットを設けた放水銃装置の他の実施形態を示した斜視図、図１１は図１０の防護ネットと放水銃装置を分離して示した組立分解図である。
【００３６】
図１０及び図１１に示すように、本実施形態の放水銃装置１０に設けた防護ネット３０は、火災検出部１６に対応して設けた火災検出部用防護ネット３４は図１乃至図９の実施形態の場合と同様であるが、その下の放水銃部１８に対応して設けた放水銃部用防護ネット４８を、放水銃部１８に対応した飛び出し部分を持たない箱型形状としたことを特徴とする。
【００３７】
即ち、本実施形態の防護ネット３０は、装置本体１２の前パネル１４から前方に飛び出して配置した火災検出部１６及び放水銃部１８の前方へ最大飛び出し位置との間隔を概ね一定とする箱型形状に、装置本体の上下左右及び奥行方向を覆って縦横格子状に金属バーを配置した構造ということができ、放水銃部用防護ネット４８を、放水銃部１８に対応した飛び出し部分を持たない箱型形状としたことで、ボールに対する防護機能を損なうことなく構造を簡単にすることを可能とする。
【００３８】
［本発明の変形例］
（防護ネットの安全構造）
上記の実施形態にあっては、放水銃装置１０の前パネル１４の外側を覆うように、防護ネット３０の取付枠３２を壁面に固定する取付構造としているが、防護ネット３０と放水銃装置１２との間を１又は複数の金属チェーンで連結しておき、物の衝突や地震などで防護ネット３０の取付枠３２が外れても、チェーンによる吊り下げ支持で脱落しないようにすることが安全確保のために望ましい。
【００３９】
（その他）
また、本発明はその目的と利点を損なうことのない適宜の変形を含み、更に上記の実施形態に示した数値による限定は受けない。
【符号の説明】
【００４０】
１０：放水銃装置
１２：装置本体
１４：前パネル
１６：火災検出部
１８：放水銃部
２０：旋回カバー
２２：旋回走査部
２４：検出窓
２６：放水銃
３０：防護ネット
３２：取付枠
３４：火災検出部防護ネット
３６，４８：放水銃部防護ネット
３８：火災検出用開口部
４０：放水銃用開口部
４２：火災検出部用リングバー
４４：放水銃部用リングバー
４６：張出防護ネット
【図１】
2015208379.tif 000003
【図２】
2015208379.tif 000004
【図３】
2015208379.tif 000005
【図４】
2015208379.tif 000006
【図５】
2015208379.tif 000007
【図６】
2015208379.tif 000008
【図７】
2015208379.tif 000009
【図８】
2015208379.tif 000010
【図９】
2015208379.tif 000011
【図１０】
2015208379.tif 000012
【図１１】
2015208379.tif 000013
【図１２】
2015208379.tif 000014